(57)【要約】【課題】編集送出システムにおいて、書き出しコマンドが異なり制御タイミングも異なる複数種類の編集装置と放送素材記録装置とを接続を行い、複数種類の編集装置を用いて共同作業により編集して、編集結果を直接放送素材記録装置に書き出し送出することで、編集送出を短時間で行い、業務の労力とコストを削減する。【解決手段】編集送出システムにおいて、複数の種類の編集装置と放送素材記録装置の間に中継装置を設置することにより、編集装置ごとに異なる制御コマンドを放送素材記録装置に対応したものに変換し、また、編集装置ごとに異なる制御タイミングを調整して放送素材記録装置を制御する。【選択図】図３
2009110601.tif 000002
【特許請求の範囲】
【請求項１】
複数種の編集装置と、記録装置と、中継装置とからなる、放送素材を編集し、記録装置から出力する編集送出システムにおいて、
編集装置と記録装置との間の通信のコマンドを変換する手段と、タイミングを調整する手段を有することを特徴とした中継装置。
【請求項２】
請求項１の中継装置と、複数種の編集装置と、記録装置と、中継装置とからなることを特徴とした編集送出システム。
【発明の詳細な説明】
【技術分野】
【０００１】
本発明は、記録装置を用いた放送素材の編集・送出システムに関するものである。
【背景技術】
【０００２】
従来の編集送出システムでは、図１に示すように、放送局などで、映像・音声・データ等の放送素材はテープで持ち込まれ、再生用ＶＴＲとオフラインの編集装置で編集された後に収録ＶＴＲに書き戻し、放送素材記録装置は収録ＶＴＲから素材のダビングを行い、放送素材を記録していた。
【０００３】
また、図２に示すように、放送素材記録装置及び編集装置間にて制御方式が統一されている系統においては、編集装置にて編集された結果を直接放送素材記録装置に書き出すことができるが、編集装置は機種ごとに制御方式及びタイミングが異なるため、１種類の放送素材記録装置に対して１種類の編集装置のみ接続して放送素材を編集・記録していた。
【特許文献１】特開平９−６３２４６号公報
【特許文献２】特開２００６−１５７７４３号公報
【発明の開示】
【発明が解決しようとする課題】
【０００４】
そのため、従来の放送素材編集・送出システムにおいて、編集装置は一般的に放送素材記録装置への書き出し機能を持ち、編集結果を放送素材記録装置へ書き出すことを可能としており、放送素材記録装置書き出しに使用するコマンドは編集装置により少しずつ異なり、また制御タイミングも異なるため、放送素材記録装置及び編集装置の間で制御方式が異なる場合は、放送可能となるまで時間がかかる上に追加機器として収録ＶＴＲが必要であり、また、制御方式を統一した場合でも、１台の放送素材記録装置に対して１種類の編集装置しか接続することができず、多大な時間と労力を要していた。
【０００５】
本発明の目的は、放送素材記録装置及び編集装置の種類によらず相互接続を行い編集し、直接編集結果を放送素材記録装置に書き出すことを可能とし、業務の労力とコストを削減することにある。
【課題を解決するための手段】
【０００６】
上記目的を達成するために、本発明は、上記課題複数種の編集装置と、記録装置と、中継装置とからなる、放送素材を編集し、記録装置から出力する編集送出システムにおいて、編集装置と記録装置との間の通信のコマンドを変換する手段と、タイミングを調整する手段を有することを特徴とした中継装置である。
また、上記の中継装置と、複数種の編集装置と、記録装置と、中継装置とからなることを特徴とした編集送出システムである。
【発明の効果】
【０００７】
テープ書き出しコマンドが異なり制御タイミングも異なる複数種類の編集装置と放送素材記録装置とを、コマンドを変換し、タイミングを調整する中継機を用いて接続し、複数種類の編集装置を用いて編集して、収録ＶＴＲを用いずに、編集結果素材を放送素材記録装置に直接書き出しを行うことで、編集送出を短時間で行い、業務の労力とコストを削減することができる。
【発明を実施するための最良の形態】
【０００８】
放送局内外のネット経由等により予め編集装置に放送素材が収録してあれば、放送素材再生用ＶＴＲは、編集には不要であるが、現時点では、未だにＶＴＲから放送素材を再生するのが一般的である。また、記録装置は一組の二重系であることが一般的であるが、複数の場合もある。そこで、以下、放送素材再生用ＶＴＲと一組の記録装置と複数の編集装置とがある本発明の一実施例の編集送出システムのブロック図を図３と図４、放送素材再生用ＶＴＲがなく、一組の記録装置と複数の編集装置とがある本発明の一実施例の編集送出システムのブロック図を図５を用いて説明する。
【０００９】
最初に、図３を用いて本システムの構成を説明する。以下、放送素材の代表として映像と音声について説明する。元素材テープ１０１及び元素材テープ１０１Ａを再生用ＶＴＲ１０２及び再生用ＶＴＲ１０２Ａで再生し、元素材映像音声３０１及び元素材映像音声３０１Ａを編集装置１０３へ出力する。その際、編集装置１０３及び編集装置１０３Ａから再生用ＶＴＲ１０２及び再生用ＶＴＲ１０２Ａへ再生制御コマンド２０１及び再生制御コマンド２０１Ａが送信される。
【００１０】
元素材映像音声３０１及び元素材映像音声３０１Ａは編集装置１０３及び編集装置１０３Ａで編集され、編集結果映像音声３０２及び編集結果映像音声３０２Ａは放送素材記録装置１０６へ送出され、記録される。ここで、従来は、編集装置１０３及び編集装置１０３Ａから放送素材記録装置１０６へ収録制御２０２及び収録制御２０２Ａが行われる際、制御コマンド及びタイミングが編集装置ごとに異なり複数の種類の編集装置を同時に１台の放送素材記録装置１０６に接続できなかったのに対し、本発明では、中継機１０７を設け、編集装置ごとに異なる制御コマンドを放送素材記録装置１０６に対応したものに変換し、また、編集装置ごとに異なる制御タイミングを調整して放送素材記録装置１０６を制御することにより、１種類の放送素材記録装置に対して複数種類の編集装置からの編集結果の書き出しを行うことを可能とした。
【００１１】
編集装置１０３及び編集装置１０３Ａと放送素材記録装置１０６との間に中継機１０７を設置し、編集装置１０３及び編集装置１０３Ａ並びに放送素材記録装置１０６双方の制御線を該中継機１０７に接続する。編集装置１０３及び編集装置１０３Ａから書き出しを行う際に送信される収録制御コマンド２０２及び収録制御コマンド２０２Ａは中継機１０７が一旦受信し、それを放送素材記録装置１０６の制御コマンドである変換・調整後収録制御コマンド２０３に変換・調整して送信することにより、編集結果映像音声３０２及び編集結果映像音声３０２Ａの放送素材記録装置１０６への書き出しを行う。この際、編集装置ごとに送信されるコマンド及びタイミングが異なるため、中継機１０７には相手となる編集装置１０３及び編集装置１０３Ａに合わせて適切な制御を行うためのテーブルを持つ。
【００１２】
逆に、蓄積映像音声３０３及び蓄積映像音声３０３Ａを放送素材記録装置１０６から編集装置１０３及び編集装置１０３Ａへ出力する場合、蓄積映像音声３０３及び蓄積映像音声３０３Ａを編集装置１０３及び編集装置１０３Ａへ出力すると同時に再生コマンド２０８が中継機１０７に送信される。中継機１０７は再生コマンド２０８を一旦受信し、任意の編集装置１０３、または編集装置１０３Ａ、もしくはその両方に対応するそれぞれの制御コマンドに変換し、また、タイミングに調整して、編集装置１０３及び編集装置１０３Ａへ変換・調整後再生コマンド２０７及び変換・調整後再生コマンド２０７Ａを送信することで任意の編集装置に蓄積映像音声３０４及び蓄積映像音声３０４Ａを出力することができる。
【００１３】
図４に示すように編集装置の数が多い場合は、編集装置１０３〜編集装置１０３ｎと中継機１０７の間に制御切り替え器１０９を設置して、特定の数台の編集装置のみを切り替えて使用することもできる。
【００１４】
また、編集装置１０３〜編集装置１０３ｎは通常テープへの書き出しを行うため書き出し先は使用するテープにより選択されるが、放送素材記録装置１０６への書き出しでは書き出し先を放送素材記録装置１０６上の素材で選択する必要があるため、書き出し先の素材を選択する素材選択・編集装置切り替え端末１０９〜素材選択・編集装置切り替え端末１０９ｎを編集装置ごとに設け、どの編集装置からどの素材に転送を行うかを選択することもできる。
【００１５】
元素材テープ１０１〜元素材テープ１０１ｎを再生用ＶＴＲ１０２〜再生用ＶＴＲ１０２ｎで再生し、元素材映像音声３０１〜元素材映像音声３０１ｎを編集装置１０３〜編集装置１０３ｎへ出力する。その際、編集装置１０３〜編集装置１０３ｎは再生・収録制御コマンド２０５〜再生・収録制御コマンド２０５ｎを制御切り替え器１０８に送信する。制御切り替え器１０８では、再生・収録制御コマンド２０５〜再生・収録制御コマンド２０５ｎは、中継機１０７より受信した制御切り替え器の制御コマンド２０４に従って再生制御コマンド２０１〜再生制御コマンド２０１ｎに切り替えられ、再生用ＶＴＲ１０２〜再生用ＶＴＲ１０２ｎへ送信される。
【００１６】
編集装置１０３〜編集装置１０３ｎから書き出しを行う際に、編集結果映像音声３０２〜編集結果映像音声３０２ｎを放送素材記録装置１０６に送信するのと同時に送信される再生・収録制御コマンド２０５〜再生・収録制御コマンド２０５ｎは、制御切り替え器１０８が一旦受信し、中継機１０７より受信した制御切り替え器の制御コマンド２０４に従って収録制御コマンド２０２に切り替えられ、中継機１０７へ送信される。
【００１７】
ここで、編集装置ごとに編集結果映像音声３０２〜編集結果映像音声３０２ｎの書き出し先である放送素材記録装置１０６上の素材を指定するため、素材選択・編集装置切り替え端末１０９〜素材選択・編集装置切り替え端末１０９ｎは素材選択・編集装置切り替え制御コマンド２０６〜素材選択・編集装置切り替え制御コマンド２０６ｎを中継機１０７に送信する。
【００１８】
中継機１０７では、収録制御コマンド２０２は、素材選択・編集装置切り替え制御コマンド２０６〜素材選択・編集装置切り替え制御コマンド２０６ｎに従って、目的の編集装置の編集結果映像音声３０２〜編集結果映像音声３０２ｎを選択し、また、記録先である放送素材記録装置１０６上の素材を選択する。さらに、放送素材記録装置１０６の制御コマンドである変換・調整後収録制御コマンド２０３に変換・調整して送信することにより、編集結果映像音声３０２〜編集結果映像音声３０２ｎを放送素材記録装置１０６の選択した素材への書き出しを行う。この際、編集装置１０３〜編集装置１０３ｎごとに送信されるコマンド及びタイミングが異なるため、中継機１０７には相手となる編集装置１０３〜編集装置１０３ｎに合わせて適切な制御を行うためのテーブルを持つ。
【００１９】
また、逆に、蓄積映像音声３０３〜蓄積映像音声３０３ｎを放送素材記録装置１０６から編集装置１０３〜編集装置１０３ｎへ出力する場合、蓄積映像音声３０３〜蓄積映像音声３０３ｎを編集装置１０３〜編集装置１０３ｎへ出力すると同時に再生コマンド２０８が中継機１０７に送信される。中継機１０７は再生コマンド２０８を一旦受信し、任意の編集装置１０３〜編集装置１０３ｎ、または特定の数台の編集装置、もしくは全ての編集装置に対応するそれぞれの制御コマンドに変換し、また、タイミングに調整して、制御切り替え器１０８へ変換・調整後再生コマンド２０９を送信する。制御切り替え器１０８では、受信した変換・調整後再生コマンド２０９を中継機１０７より受信した制御切り替え機の制御コマンド２０４に従って各編集機に対応した変換・調整後再生コマンド２０７〜変換・調整後再生コマンド２０７ｎに切り替え、対応する編集装置１０３〜編集装置１０３ｎへと再送信されることで任意の編集装置に蓄積映像音声３０３〜蓄積映像音声３０３ｎを出力することができる。
【００２０】
図５において、中継機におけるコマンド変換及びタイミング調整について示す。図３におけるＶＴＲの代わりに、編集機１０３及び編集機１０３Ａにネットを接続しても良い。中継機によるコマンド変換・調整の様子を表す。編集装置１０３及び編集装置１０３Ａより中継機１０７に送信されたコマンドａ、ｂ、ｃからなるｎ秒間の制御コマンドとコマンドｄ、ｅ、ｆからなるｍ秒間の制御コマンドは、中継機１０７において、放送素材記録装置１０６に対応したコマンド内容に変換し、タイミングを調整することで、コマンドｘ、ｙ、ｚからなるｔ秒間の制御コマンドとなり、放送素材記録装置１０６に複数種類の編集装置からの編集結果の書き出しを行うことが可能になる。
【００２１】
逆に、放送素材素材記録装置１０６より中継機１０７に送信されたコマンドｘ、ｙ、ｚからなるｔ秒間の制御コマンドを、中継機１０７において、編集装置１０３に対応するコマンドａ、ｂ、ｃからなるｎ秒間の制御コマンドと、編集装置１０３Ａに対応するコマンドｄ、ｅ、ｆからなるｍ秒間の制御コマンドに変換・調整して、編集装置１０３及び編集装置１０３Ａにそれぞれに対応するコマンドを送信することで、放送素材記録装置１０６から複数種類の編集装置へ記録された映像・音声を出力することが可能になる。
【００２２】
このことは、図４においても同様に、編集機から中継機に送出されたコマンドの内容の変換とタイミングの調整を行うことができる。
【図面の簡単な説明】
【００２３】
【図１】従来の編集送出システムのブロック図
【図２】従来の他の編集送出システムのブロック図
【図３】本発明の一実施例の編集送出システムのブロック図
【図４】本発明の他の一実施例の編集送出システムのブロック図
【図５】本発明の一実施例の編集送出システムにのコマンド変換とタイミング調整を示す模式図
【符号の説明】
【００２４】
１０１，１０１Ａ，１０１ｎ：元素材テープ、１０２，１０２Ａ，１０２ｎ：再生用ＶＴＲ、１０３，１０３Ａ，１０３ｎ：編集装置、１０４：収録ＶＴＲ、１０５：編集結果テープ、１０６：放送素材記録装置、１０７：中継装置、１０８：制御切り替え器、１０９，１０９ｎ：素材選択・編集装置切り替え端末、２０１，２０１Ａ，２０１ｎ：再生制御コマンド、２０２，２０２Ａ：収録制御コマンド、２０３：変換・調整後収録制御コマンド、２０４：制御切り替え器の制御コマンド、２０５，２０５ｎ：再生・収録制御コマンド、２０６，２０６ｎ：素材選択・編集装置切り替え制御コマンド、２０７，２０７Ａ，２０７ｎ，２０９：変換・調整後再生コマンド、２０８：再生コマンド、３０１，３０１Ａ，３０１ｎ：元素材映像音声、３０２，３０２Ａ，３０２ｎ：編集結果映像音声、３０３，３０３Ａ，３０３ｎ：蓄積映像音声
【図１】
2009110601.tif 000003
【図２】
2009110601.tif 000004
【図３】
2009110601.tif 000005
【図４】
2009110601.tif 000006
【図５】
2009110601.tif 000007